(57)【要約】【課題】  案内部材で土を反射させるだけでなく、育苗箱の上下動を規制しながら育苗箱の周壁上面を摺接できるようにする。【解決手段】  育苗箱７を搬送する搬送手段１４を支持する機枠２にフレーム２６を設け、このフレーム２６にホッパ２７とこのホッパ２７からの土を育苗箱７に供給する土搬送コンベヤ２８とを配置し、前記フレーム２６に土搬送コンベヤ２８から落下される土を反射させて育苗箱７に入れる案内部材２９を設ける。前記案内部材２９はフレーム２６に対して、覆土を供給する際に、床土反射姿勢Ａから育苗箱７の上下動を規制しながら育苗箱７の周壁上面を摺接する箱案内姿勢Ｂに姿勢変更自在に設ける。【選択図】図１
2005087098.tif 000002
【特許請求の範囲】
【請求項１】
育苗箱を搬送する搬送手段の上方に、育苗箱に土を供給する土供給手段を配置し、前記育苗箱と土供給手段との間に土供給手段から落下される土を反射させて育苗箱に入れる土案内手段を設けた育苗箱用土入機において、
覆土を供給する際に、前記土案内手段の作用を解除して育苗箱の上下動を規制しながら育苗箱の周壁上面を摺接する箱案内手段を設けていることを特徴とする育苗箱用土入装置。
【請求項２】
育苗箱を搬送する搬送手段を支持する機枠にフレームを設け、このフレームにホッパとこのホッパからの土を育苗箱に供給する土搬送コンベヤとを配置し、前記フレームに土搬送コンベヤから落下される土を反射させて育苗箱に入れる案内部材を設けた育苗箱用土入装置において、
前記案内部材はフレームに対して、覆土を供給する際に、床土反射姿勢から育苗箱の上下動を規制しながら育苗箱の周壁上面を摺接する箱案内姿勢に姿勢変更自在に設けていることを特徴とする育苗箱用土入装置。
【請求項３】
前記案内部材を断面くの字状材で形成し、その案内部材の左右両端をフレームに横軸廻り回動自在に支持していることを特徴とする請求項２に記載の育苗箱用土入装置。
【発明の詳細な説明】
【技術分野】
【０００１】
本発明は、育苗箱に床土及び覆土を供給する育苗箱用土入装置に関する。
【背景技術】
【０００２】
この種の従来技術においては、育苗箱を搬送する搬送手段を支持する機枠にフレームを設け、このフレームにホッパとこのホッパからの土を育苗箱に供給する土搬送コンベヤとを有する土供給手段を配置し、前記フレームに土搬送コンベヤから落下される土を反射させて育苗箱に入れる案内部材（反射板）を固定している（例えば、特許文献１参照。）。
【特許文献１】実公平６−２６１４１号公報
【発明の開示】
【発明が解決しようとする課題】
【０００３】
土入装置は通常、床土だけでなく覆土の供給にも使用されるもので、覆土を供給する際は、床土上に播種が行われているので、土供給によって種子が移動するような育苗箱の振動を生じることは好ましくなく、また、育苗箱の周壁上面に種子、土が載っていることがあり、それらを排除する必要がある。
前記従来技術においては、案内部材は土を反射して育苗箱内に大粒土を底に小粒土をその上に充填するのに役立つが、フレームに固定されているため、それ以外の作用をさせること、即ち、前記覆土供給時の育苗箱振動防止、周壁上面の種子、土の排除を行うことは困難になっている。
【０００４】
本発明は、このような従来技術の問題点を解決できるようにした育苗箱用土入装置を提供することを目的とする。
本発明は、案内部材を、床土反射姿勢から箱案内姿勢に姿勢変更自在に設けて、土を反射させるだけでなく、育苗箱の上下動を規制しながら育苗箱の周壁上面を摺接できるようにした育苗箱用土入装置を提供することを目的とする。
【課題を解決するための手段】
【０００５】
本発明における課題解決のための具体的手段は、次の通りである。
第１に、育苗箱を搬送する搬送手段の上方に、育苗箱に土を供給する土供給手段を配置し、前記育苗箱と土供給手段との間に土供給手段から落下される土を反射させて育苗箱に入れる土案内手段を設けた育苗箱用土入機において、
覆土を供給する際に、前記土案内手段の作用を解除して育苗箱の上下動を規制しながら育苗箱の周壁上面を摺接する箱案内手段を設けている。
これによって、覆土供給時に育苗箱の上下振動を防止し、育苗箱の周壁上面の種子、土を排除する。
【０００６】
第２に、育苗箱を搬送する搬送手段を支持する機枠にフレームを設け、このフレームにホッパとこのホッパからの土を育苗箱に供給する土搬送コンベヤとを配置し、前記フレームに土搬送コンベヤから落下される土を反射させて育苗箱に入れる案内部材を設けた育苗箱用土入装置において、
前記案内部材はフレームに対して、覆土を供給する際に、床土反射姿勢から育苗箱の上下動を規制しながら育苗箱の周壁上面を摺接する箱案内姿勢に姿勢変更自在に設けている。
【０００７】
これによって、ひとつの案内部材で、床土供給時に土を反射させて育苗箱に入れることができる上に、覆土供給時に育苗箱の上下振動を防止し、育苗箱の周壁上面の種子、土を排除することができる。
第３に、前記案内部材を断面くの字状材で形成し、その案内部材の左右両端をフレームに横軸廻り回動自在に支持している。
これによって、土反射及び箱案内をする案内部材を簡単かつ容易に製作できる。
【発明の効果】
【０００８】
本発明によれば、案内部材で床土供給時に土を反射させて育苗箱に入れることができる上に、覆土供給時に育苗箱の上下振動を防止し、育苗箱の周壁上面の種子、土を排除することができる。
【発明を実施するための最良の形態】
【０００９】
以下、本発明の実施の形態を図面に基づいて説明する。
図４は育苗箱用播種機１の全体を示しており、この播種機１は、大別して、機枠２上に搭載された灌水装置３、播種装置４、土入装置５、土均し装置６を有している。
図１、２、４において、機枠２は左右一対のチャンネル材１１を棒材で連結し、チャンネル材１１に複数の脚体１２を設け、チャンネル材１１の前後端に補助フレーム１３を折り畳み自在に連結しており、左右チャンネル材１１間には搬送手段１４が設けられている。
【００１０】
この搬送手段１４は、左右チャンネル材１１に複数本の回転軸１５を支持し、前後回転軸１５に左右一対のプーリ１６を設けてベルト１７を張設し、また、複数本の回転軸１５に左右ローラ１８を設けており、これらベルト１７及びローラ１８によって育苗箱７を支持しながら、機枠２上を所要速度で搬送可能にしている。前記ローラ１８は主に、育苗箱７に負荷の掛かる土入装置５等の下方に配置されている。
灌水装置３は本灌水管２０と補助灌水管２１とを有し、補助灌水管２１は播種装置４と土入装置５との間に配置されている。この灌水装置３は育苗箱７に床土を充填した後、播種後及び／又は覆土を供給した後に、水、薬剤等を散布可能である。
【００１１】
播種装置４は種子ホッパ２２、繰出ロール２３等を有し、育苗箱７に床土を充填した後に、所要の種子を条播、点播、散播等を行うようになっている。
土入装置５は機枠２上に固定のフレーム２６に、ホッパ２７と、このホッパ２７からの土を育苗箱７に供給する土搬送コンベヤ２８と、土を反射させて育苗箱７に入れる案内部材２９とを有しており、床土の供給と覆土の供給とが可能になっている。
土均し装置６は回転ブラシ手段３１と隅部押さえ手段３２とを有し、育苗箱７内に供給された床土及び覆土の上面の均しと、隅部の押さえとが可能になっている。
【００１２】
前記播種機１における播種作業は、育苗箱７を補助フレーム１３上から機枠２の搬送手段１４に供給し、この搬送手段１４で１方向へ搬送し、まず、土入装置５で床土を充填する。
床土充填後の育苗箱７を積み重ねておいて、補助フレーム１３側に戻し、再び搬送手段１４で搬送する。この搬送の際に、灌水装置３で床土に灌水を行い、播種装置４で播種を行った後に、育苗箱７内の種子の上に前記土入装置５で覆土を供給する。
図１〜４に基づいて土入装置５を詳述する。
【００１３】
土入装置５のフレーム２６は左右チャンネル材１１の上面にボルト固定された左右一対の板材であり、その上部に左右板材を連結するようにホッパ２７が固定され、左右板材に前後ローラ３４、３５の軸部が回転自在に支持されている。
前記前ローラ３４は後ローラ３５より大径で、それらにコンベヤベルト３６が巻き掛けられており、コンベヤベルト３６の上面は水平に配置されてホッパ２７の下方に位置し、ホッパ２７内の土を受持しており、コンベヤベルト３６を移動することによって、ホッパ２７の下部の開口２７ａから土を取り出す。
【００１４】
前記前後ローラ３４、３５及びコンベヤベルト３６によって、床土及び覆土を供給する土搬送コンベヤ２８が構成され、この土搬送コンベヤ２８と前記ホッパ２７等とによって土供給手段が構成されている。
３７はホッパ２７の前壁に上下位置調整自在に設けた土量調整板であり、この土量調整板３７を上下位置調整することにより、開口２７ａの開度を変更してコンベヤベルト３６で送り出される土量を調整する。
前記ローラ１８を設けた回転軸１５と前ローラ３４の軸部との間には、スプロケット及びチェーンからなる巻き掛け伝動手段３８が設けられており、搬送手段１４からの動力で土搬送コンベヤ２８が同期駆動される。
【００１５】
前記フレーム２６の育苗箱７搬送方向前端にはブラケット４１を介して案内部材２９が設けられている。この案内部材２９はアングル材又は板材を屈曲したものを使用しており、断面くの字状（Ｌ字形状）でひとつの反射面２９ａを形成している。
案内部材２９は、一端縁に丸棒を溶着して左右両端の支持軸部２９ｂとしており、この左右支持軸部２９ｂがブラケット４１の孔に挿入されていて、案内部材２９を横軸廻り回動自在に支持し、姿勢変更自在にしている。
前記案内部材２９は左右両端の支持軸部２９ｂ近傍に切欠部２９ｃが形成されており、支持軸部２９ｂから離れた自由端側が左右に突出していて当接部２９ｄを形成しており、案内部材２９を上側に回動したとき、この当接部２９ｄが前記ブラケット４１又はフレーム２６に当接して、前記反射面２９ａを前ローラ３４に対向する姿勢に設定するようになっている。
【００１６】
この反射面２９ａを前ローラ３４に対向する姿勢は、コンベヤベルト３６から落下される土を衝突させて後方側へ反射する床土反射姿勢Ａ（図１及び図２右側）であり、床土供給時に使用され、土は反射面２９ａで反射されることにより、大粒土は遠くへ飛散し、小粒土は近くへ飛散することになり、育苗箱７内には大粒土が先行して底に充填され、その充填された大粒土の上に小粒土が充填され、下層大粒上層小粒の床土に最適な充填状態が得られる。
前記案内部材２９を下側に回動すると、左右切欠部２９ｃがブラケット４１の内面側に対向し、自重による垂下状態になり、育苗箱７が移動してくると、育苗箱７によって押しのけられ、その自由端側の縁２９ｅは育苗箱７の上面を摺動可能となる。
【００１７】
案内部材２９が育苗箱７の周壁上面を摺接する状態は箱案内姿勢Ｂ（図１及び図２左側）であり、覆土供給時に使用され、押しのけられた案内部材２９の重量は育苗箱７に加わることになり、その重みによって育苗箱７の上下動を規制でき、また、摺接することにより周壁上面に載っている種子、土等を排除することができる。
案内部材２９は断面くの字状であるので、箱案内姿勢Ｂでは反射面２９ａが略垂直状態になり、そのため縁２９ｅは育苗箱７の上面を掻くように摺接するので、周壁上面の種子、土等をより確実に排除することができる。
【００１８】
前記案内部材２９は、上側に回動して床土反射姿勢Ａにしたとき、育苗箱７に下層大粒上層小粒状態に土を案内する土案内手段の作用をする。覆土供給時には土案内手段は不要であるので、案内部材２９を下側に回動、即ち、土案内手段の作用を解除して箱案内姿勢Ｂにすると、育苗箱７の上下動を規制しながら育苗箱７の周壁上面を摺接する箱案内手段の作用をする。
なお、本発明は前記実施形態における各部材の形状及びそれぞれの前後・左右・上下の位置関係は、図１〜４に示すように構成することが最良である。しかし、前記実施形態に限定されるものではなく、部材、構成を種々変形したり、組み合わせを変更したりすることもできる。
【００１９】
例えば、土案内手段用の案内部材２９と箱案内手段用の案内部材２９とを別個に形成しておいて、ブラケット４１又はフレーム２６に取り替え自在に装着してもよい。
フレーム２６とブラケット４１とを一体成形したり、案内部材２９の板材の左右端を突出して支持軸部２９ｂとしたりしてもよい。
【図面の簡単な説明】
【００２０】
【図１】本発明の実施の形態を示す一部断面側面図である。
【図２】同断面正面図である。
【図３】同要部の斜視図である。
【図４】播種機全体の側面図である。
【符号の説明】
【００２１】
１        播種機
２        機枠
５        土入装置
２６      フレーム
２７      ホッパ
２８      土搬送コンベヤ
２９      案内部材
２９ａ    反射面
２９ｂ    支持軸部
２９ｃ    切欠部
２９ｄ    当接部
２９ｅ    縁
Ａ        床土反射姿勢
Ｂ        箱案内姿勢
【図１】
2005087098.tif 000003
【図２】
2005087098.tif 000004
【図３】
2005087098.tif 000005
【図４】
2005087098.tif 000006